(57)【要約】      （修正有）【課題】医学的効能を持つ貴金属線付きの女性用健康パンティーを提供する。【解決手段】女性用のパンティー内部の前面一側の中、パンティーの着用時に女性の陰部と接触する部位に対応した位置の上端部および下端部を横切って複数の貴金属線２００を装着する。貴金属線は、小さなリングが接続されたライン状であり、貴金属線の両端部は、リング部材２１０，２１２が結合され、リング部材の穴の内部を貫通してパンティー取付用部材２２０，２２２が接続される。【選択図】図１【実用新案登録請求の範囲】
【請求項１】
パンティー内部の前面一側の中、パンティーの着用時に女性の陰部と接触する部位に対応した位置の上端部および下端部を横切って複数の貴金属線を装着し、前記貴金属線は、小さなリングが接続されたライン状であり、
前記貴金属線の両端部は、リング部材２１０、２１２が結合され、そのリング部材の穴２１１、２１３の内部を貫通してパンティー取付用部材２２０、２２２が接続されて、パンティーの繊維と返し縫いを通じて形成され、
前記貴金属線は、四筋２０１、２０２、２０３、２０４で構成され、そのすべての貴金属線の上側端部がパンティー前面部のリング部材２１０にかかり、
内側の二筋の貴金属線２０１、２０２の下側端部は、パンティーの着用時、会陰部の近くに位置するリング部材２１２にかかり、
前記四筋の貴金属線の中で、外側の二筋２０３、２０４は、内側の二筋２０１、２０２より１〜２ｃｍの長さ（ａ）だけ短く形成され、
前記外側の二筋２０３、２０４の端部は、内側の二筋２０１、２０２の一側にそれぞれ結合されることによって、パンティーの着用時に肉がお互いに会って重なっている部分に異物感を最小限に抑えることができ、前記貴金属線は、金または銀の素材で構成される
ことを特徴とする貴金属線付き女性用健康パンティー。
【考案の詳細な説明】
【技術分野】
【０００１】
本考案は、女性の下着の内部、特に陰部が密着する部分に複数の貴金属線を装着した健康パンティーの技術に属する。
【背景技術】
【０００２】
一般的な女性のパンティーは、天然または化学繊維で構成され、生理あるいは排尿などによってパンティー内部の清潔性が保たれるのは非常に難しい。
【０００３】
生理期間中には衛生処理がうまくいった生理用ナプキンなどによって陰部部位の様々な人体の物質が吸収されることがあるが、生理用ナプキンを着用していない一般的な場合には、女性用パンティー自体が非常に薄く、様々な非衛生的な物質を十分に吸収することができないから、パンティー内部から悪臭が発生しやすく、また、かゆみや皮膚疾患などの様々なトラブルが発生する場合が頻繁である。
【０００４】
一般的に、健康パンティーの場合、下着自体に漢方薬を投入して入れておくか、あるいはワイヤ形の金属材などを挿入するかという形の健康下着が存在するが、これらのパンティーの構造は、構造上複雑であり、製造コストが増加し、製品の価格が上昇し、販売レベルも非常に微微たるものである。
【０００５】
しかし、このような事情にもかかわらず、これを改善するだけの画期的な考案が開発されていないが、本出願人は、貴金属、特に金や銀の医学的な効能に着目し、女性の膣が密着する位置で、前記の金や銀などの貴金属をパンティーの内部に付着し、直接肌に接触するようにするが、非常に構造が簡単で生産性を向上させることができるし、シンプルであるが、独特な構造のため、顧客吸引力も強く発生する可能性のある健康パンティーを開発することになった。
【考案の概要】
【考案が解決しようとする課題】
【０００６】
そこで、本考案は、前記のような従来の問題に鑑みなされたものであり、金や銀の医学的効能を発揮することができる女性のための健康パンティーを提供し、これにより、電磁波シールド、悪臭の減少、皮膚のトラブル防止など、女性の健康維持はもちろん、構造が非常に簡単で、生産性が高く、ユニークでシンプルな構造によって、ユーザーの購買力を向上させることができる女性のための健康パンティーを提供することを課題とする。
【課題を解決するための手段】
【０００７】
本考案の課題解決手段は、次のとおりである。
【０００８】
パンティー内部の前面一側の中、パンティーの着用時に女性の陰部と接触する部位に対応した位置の上端部および下端部を横切って複数の貴金属線を装着することを特徴とする。
【０００９】
前記貴金属線は、小さなリングが接続されてライン状になるように形成され、前記貴金属線の両端部は、リング部材が結合され、リング部材の穴の内部を貫通してパンティー取付用部材が接続されて、パンティーの繊維と返し縫いを通じて形成されることを特徴とする。
【００１０】
前記貴金属線は四筋で構成され、すべての貴金属線の上側端部がパンティー前面部方のリング部材にかかっているし、内側の二筋の貴金属線の下側端部は、パンティーの着用時、会陰部の近くに位置するリング部材にかかっている。
【００１１】
前記四筋の貴金属線の中で、外側の二筋は内側の二筋よりも１ｃｍないし２ｃｍ長さほど短く形成されることを特徴とする。
【００１２】
前記外側の二筋の端部は内側の二筋の一側にそれぞれ結合されることによって、パンティーの着用時に肉がお互いに会って重なっている部分に異物感を最小限に抑えることができることを特徴とする。
【考案の効果】
【００１３】
本考案では、次のような効果が発揮されることができる。
【００１４】
まず、金や銀の医学的効能を発揮することができるし、特に電磁波シールド、悪臭の減少、皮膚のトラブル防止など、女性の健康維持に大きな助けになることができる。
【００１５】
第二に、貴金属線をパンティに装着させる構造が非常に簡単で、生産性が高く、ユニークでシンプルな構造によって、ユーザーの購買力を向上させることができる利点がある。
【図面の簡単な説明】
【００１６】
【図１】本考案の第１実施例によりパンティーを上方から見下ろした平面図
【図２】本考案の実際の制作パンティーとして、パンティーの上方から撮影した写真
【図３】図２のパンティーを裏返し、その内部を見せた写真
【図４】本考案の第２実施形態によるパンティーの金線形状の説明図
【図５】図４の貴金属線に対するクローズアップの写真
【考案を実施するための形態】
【００１７】
考案の実施のための最良の形態は、次のとおりである．
【００１８】
即ち、パンティー内部の前面一側の中、パンティーの着用時に女性の陰部と接触する部位に対応した位置の上端部および下端部を横切って複数の貴金属線が装着される。
【００１９】
前記貴金属の各線は、小さなリングが接続されてライン状になるように具備され、前記貴金属線の両端部は、リング部材が結合され、リング部材の穴の内部を貫通してパンティー取付用部材が接続されて、パンティーの繊維と返し縫いを通じて形成される。
【００２０】
そして、前記貴金属線は四筋で構成され、すべての貴金属線の上側端部がパンティー前面部方のリング部材にかかっているし、内側の二筋の貴金属線の下側端部は、パンティーの着用時、会陰部の近くに位置する他のリング部材にかかっている。
【００２１】
前記の四筋の貴金属線の中で、外側の二筋は内側の二筋よりも１〜２ｃｍの長さほど短く形成される。
【００２２】
前記外側に位置する二筋の貴金属線の端部は、内側に位置する二筋の貴金属線の一側にそれぞれ結合される。したがって、パンティーの着用時、お互いに重なる部位に異物感を最小限に抑えることができる。前記貴金属線の材料としては、金または銀である。
【００２３】
図１は本考案の第１の実施形態によるパンティーを上方から見下ろした平面図であり、図２は本考案の実際の制作パンティーとして、図１の角度から観察した写真であり、図３は図２のパンティーを裏返して、その内部パンティー前面の後ろの部分を示した写真である。
【００２４】
本考案の場合、図１のようにパンティーの足の引出穴間の部分に金線２００が所定のリング部材２１０を通じて装着するのが望ましい。  
【００２５】
より詳細には、これらの金線は、女性がパンティーを着用したときに、陰部が直接接触する部位に結合するのが好ましい。これは、女性のパンティーは、様々な生理などによって分泌物に多く露出されており、清潔を維持するのが非常に難しいので、金や銀などのように医学的にその効能が知られている貴金属を膣部位に当接するように装着することである。
【００２６】
金や銀は皮膚と長時間接触しても肌がかゆくなるか、ケガをする心配がないので、昔からリングやイヤリングなどの皮膚に直接接触するアクセサリーの素材として多く使用されてきた。
【００２７】
金や銀は強い抗菌作用をするため、本考案のパンティーの内部に装着することができる素材として採用したものである。東医宝鑑では金が精神安定作用を発揮し、有毒物質の解毒作用があり、肌の浄化作用にも良いと記述されている。
【００２８】
近年、慢性関節炎の治療にも金が使用され、ドイツでは、経口金剤（Ａｕｒａｎｏｆｉｎ）が臨床使用が開始されてかなりの効果があるとする。
【００２９】
一方、銀の効能としては、東医宝鑑にてんかんや驚気などの精神疾患と白色帯下などの婦人病に特に効果が良いと記載されており、西洋医学界では、  銀含有量の不足による免疫力低下の研究データが出ていることもある。
【００３０】
近年、銀が持っている微生物に対する抗菌効果と皮膚の炎症の治療効果などは、実際に様々な疾患の治療に使用されている。
【００３１】
本考案では、前記のように医学的な効能がある金や銀を線の形態で複数個形成した後、これを分泌物の多い女性陰部の部分に常時接触させておくことで、複数の効能を得ようとする。
【００３２】
図１では金線２００のサイズを実際の写真（図２参照）よりもやや大きく図示している。一つの金線の幅は、ユーザーが不便を感じない程度にやや細めに製作されるのが望ましい。
【００３３】
もちろん、金線２００の代わりに銀線を使用してもよいし、金線と銀線を同時にパンティーの内部に混合して着用することも可能である。
【００３４】
そして、金線２００の取付位置は、図３に図示されてように、好ましくは、パンティーの前面部の中心ほどの位置からパンティー中央部の一側に至るまで接続されるのが望ましい。
【００３５】
金線は、一筋ではなく、２列、３列、４列など複数個で製作されるのが肌との接触面積と接触頻度を高めるために望ましい。
【００３６】
それぞれの金線２００の端部は、リング部材２１０、２１２と接続されるように構成するのが望ましい。
【００３７】
前記リング部材の穴２１１、２１３には、パンティー取付用部材２２０、２２２を貫通させて、その端部をパンティーの繊維素材と縫うのが望ましい。しかし、これらの方法以外にも、金線２００をパンティーの繊維素材に結合させる方法は多様に変形可能であることは勿論である。
【００３８】
図４は、本考案の第２実施例を示しており、図５は図４の実際製作品のクローズアップ写真である。
【００３９】
本実施例では、パンティー内部の前面一側の中、パンティーの着用時に女性の陰部と接触する部位に対応した位置の上端部および下端部を横切って複数の貴金属線が装着される。  
【００４０】
前記貴金属線の両端部は、リング部材２１０、２１２が結合され、リング部材の穴２１１、２１３の内部を貫通してパンティー取付用部材２２０、２２２が接続されて、パンティーの繊維と返し縫いを通じて形成される。
【００４１】
前記貴金属線は四筋２０１、２０２、２０３、２０４で構成され、すべての貴金属線の一側端部がパンティー前面部方のリング部材２１０にかかっている。
【００４２】
内側の二筋の貴金属線の他側端部は、パンティーの着用時、会陰部の近くに位置するリング部材２１２にかかっている。
【００４３】
前記の四筋の貴金属線の中で、外側の二筋の貴金属線２０３、２０４は、内側の二筋の貴金属線２０１、２０２より所定の長さ（ａ）ほど短く形成される。
【００４４】
前記外側の二の貴金属線２０３、２０４の端部は内側の二筋の貴金属線  ２０１、２０２の一側にそれぞれ結合されることによって、パンティーの着用時に肉が重なっている部分に異物感を最小限に抑えることができることを特徴とする。
【００４５】
この第２の実施例は、このような構成をとることにより、前記第１実施例よりもさらに高度な機能を発揮することになる。
【００４６】
本考案のパンティーを着用したとき、金線の下端部（図４で符号ａ部分の近所）は、女性の太ももの内側の上端部である会陰部付近として、肉がお互いに会って重なる部分に対応する部分として、この部位に四筋の金線２０１、２０２、２０３、２０４が皆存在する場合には、着用者が異物感を感じて不快感をやや与えることができるので、金線の下端部には四筋ではなく二筋が配置されるように構成する。
【００４７】
より詳しく説明すると、四筋の金線２０１、２０２、２０３、２０４の中で、内側の二筋の金線２０１、２０１だけが、そのままリング部材２１２まで降りてきてリング部材に結合され、金線中に外側の二筋の金線２０３、２０４は、リング部材２１２上部からａほど離れた位置まで降りてきて、その位置でそれぞれ符号２０１、２０２の金線に金属結合されるように構成される。この時、金線同士の金属結合以外にもリング状に相互に掛かっても関係がない。
【００４８】
前記ａの長さは、ユーザーごとに物理的な条件が異なり、特定値に決まるは不可であるが、約１〜２センチ前後の長さをとるのが望ましい。
【００４９】
図５を参照すると、図４の実際の製品画像として金線の中、二筋だけがリング部材にかかっていることを確認することができる。
【００５０】
これらの金線数と配置は、本出願人は、多くの製造および実際の着用により官能評価をすることによって、導出した構造であって、たとえ単純な構造をとるが、当業者のレベルでこれらの金線構造を着目することは決して容易ではないことを明らかにしておく。
【産業上の利用可能性】
【００５１】
本考案は、健康を維持するための様々な下着を生産する衣料品業界に広く利用されることができる。
【図１】
0003191444.tif 000002
【図４】
0003191444.tif 000003
【図２】
0003191444.tif 000004
【図３】
0003191444.tif 000005
【図５】
0003191444.tif 000006
【手続補正書】
【提出日】平成25年11月20日(2013.11.20)
【手続補正１】
【補正対象書類名】図面
【補正対象項目名】図３
【補正方法】変更
【補正の内容】
【図３】
0003191444.tif 000007